(57)【特許請求の範囲】
【請求項１】
内側に主流路を形成するガイド筒体と、該ガイド筒体に上下動可能に外嵌され、ガイド筒体の下端側外周との間でバイパス流路を形成する外筒とを備え、前記主流路には前記バイパス流路の合流する上流側に多孔板を、下流側に整流板を配置するよう当該多孔板と当該整流板とを前記外筒に取り付け、多孔板と整流板との間に混合室を形成し、前記バイパス流路にバイパス弁と、該バイパス弁の下流側にバイパス流路からの水流を前記混合室に導入するための横孔と、該横孔と前記混合室との間に空気導入口を設けることにより、
前記外筒が下動されて前記バイパス弁が閉じられた状態では前記主流路からの水流内に前記空気導入口から空気を混入させて泡沫水を生成させ、前記外筒が上動されて前記バイパス弁が開かれた時に、バイパス流路からの水流を前記横孔から前記混合室に導入することにより前記空気導入口を減少させて内部への空気の侵入を抑制させ、泡沫水の生成を抑えるように構成し、前記外筒が下動された時に、前記主流路からの水圧で前記多孔板が下方側へ押圧されることにより前記外筒が前記ガイド筒体外周の前記バイパス弁に強く押圧されて、前記バイパス流路が確実に閉ざされるように構成したことを特徴とする水栓の吐水切替構造。
【発明の詳細な説明】
【０００１】
【産業上の利用分野】
この発明は、整流と泡沫水とを切り替えることのできる水栓の吐水切替構造に関するものである。
【０００２】
【従来の技術及びその課題】
従来、水栓の吐水口の先端側で、吐水を、整流と泡を混入した泡沫水に切り替えることのできる装置は存在せず、良好に泡沫水に切り替え可能な装置の出現が望まれていた。
【０００３】
【課題を解決するための手段】
本発明は上記従来の問題点に鑑み案出したものであって、吐水を良好に整流と泡沫に切り替えることのできる吐水の切替構造を提供せんことを目的とし、その要旨は、内側に主流路を形成するガイド筒体と、該ガイド筒体に上下動可能に外嵌され、ガイド筒体の下端側外周との間でバイパス流路を形成する外筒とを備え、前記主流路には前記バイパス流路の合流する上流側に多孔板を、下流側に整流板を配置するよう当該多孔板と当該整流板とを前記外筒に取り付け、多孔板と整流板との間に混合室を形成し、前記バイパス流路にバイパス弁と、該バイパス弁の下流側にバイパス流路からの水流を前記混合室に導入するための横孔と、該横孔と前記混合室との間に空気導入口を設けることにより、前記外筒が下動されて前記バイパス弁が閉じられた状態では前記主流路からの水流内に前記空気導入口から空気を混入させて泡沫水を生成させ、前記外筒が上動されて前記バイパス弁が開かれた時に、バイパス流路からの水流を前記横孔から前記混合室に導入することにより前記空気導入口を減少させて内部への空気の侵入を抑制させ、泡沫水の生成を抑えるように構成し、前記外筒が下動された時に、前記主流路からの水圧で前記多孔板が下方側へ押圧されることにより前記外筒が前記ガイド筒体外周の前記バイパス弁に強く押圧されて、前記バイパス流路が確実に閉ざされるように構成したことである。
【０００４】
【実施例】
以下、本発明の実施例を図面に基づいて説明する。
図１は、水栓の吐水口にプッシュ式切替装置を取り付けた構成図であり、水栓金具１内には固定ディスク２と可動ディスク３が設けられて、操作ハンドル４を手で操作することにより可動ディスク３が固定ディスク２に対し摺動して吐水口５から吐水が行われるように構成されており、この吐水口５にはアダプター６を介し整流と泡沫を良好に切り替えることのできるプッシュ式切替装置７が取り付けられている。
【０００５】
このプッシュ式切替装置７は図２に断面図で示すように構成されており、アダプター６を水栓の吐水口５に締め付けて、このアダプター６を介し取り付けられるものとなっており、アダプター６の外周には、工具を掛けて締め付けるための工具掛け部６ａが形成されており、アダプター６に対し、ガイド筒体１０が螺合されて取り付けられ、例えばアダプター６に対しガイド筒体１０のネジ部をロックタイト等で固定することにより、オーリング等のシールが不要となって水密性が確保される。
【０００６】
このアダプター６に取り付けられたガイド筒体１０は筒状に形成されており、内周側には上下方向に吐水を流す主流路１１が形成されて、上端側外周にＣリング１２が嵌め込まれており、ストッパーリング１２の下方側の外周にはＵパッキン１３が設けられ、また、その下方にはオーリング１４が嵌め込まれ、さらにその下方の内周側にオーリング１５が嵌め込まれたものとなっている。
このガイド筒体１０の外周には、上下動可能に外筒１６が外嵌されており、外筒１６の上端側内周には、上下に２段の係合段部１６ａが、また、その中央部に内側へ突出する節度突起１６ｂが形成されており、この外筒１６が上下動される時に、前記ストッパーリング１２が節度突起１６ｂを乗り越えて上下の何れかの係合段部１６ａに係合して、節度感を持って外筒１６がガイド筒体１０に対し上下動されて何れかの位置に係止されるように構成されている。
【０００７】
この外筒１６の上下方向中央部の内周側には外側へ拡径するシール斜面１６ｃが形成されて、下端側が僅かに拡径されており、この外筒１６のシール斜面１６ｃの下部の内周と前記ガイド筒体１０の外周間でバイパス流路１７が形成されたものとなっている。なお、このバイパス流路１７には、前記ガイド筒体１０の外周に貫通状に横方向に形成された分岐孔１０ａを介して前記主流路１１から流水が分岐状に供給されるように構成され、前記外筒１６のシール斜面１６ｃとオーリング１４でバイパス流路１７を開閉できるバイパス弁を構成している。
【０００８】
前記外筒１６の下端内側には泡沫ホルダ１８が螺合状に取り付けられており、この泡沫ホルダ１８の内周側に泡沫ユニット１９が嵌め込まれており、この泡沫ユニット１９は、上方側の上下の多数の通し孔を有する多孔板１９ｂから下方の整流板１９ａに前記主流路１１からの流水が流下されるように構成されており、前記泡沫ホルダ１８に横方向に貫通して形成された横孔１８ａを通し、整流板１９ａと多孔板１９ｂの間に囲まれた混合室Ｓ内に前記バイパス流路１７からの流水が供給されるように構成されている。
【０００９】
図２の状態は、整流状態を示すものであり、前記外筒１６は上動された状態に維持され、この状態では、前記外筒１６のシール斜面１６ｃとオーリング１４が離れてバイパス弁が開状態となっており、主流路１１から水流が分岐孔１０ａを通し分岐されてバイパス流路１７内に流れ込み、さらに横孔１８ａを通して水流が泡沫ユニット１９内の混合室Ｓに流れ込み、この場合は、前記泡沫ユニット１９の下端外周と前記泡沫ホルダ１８の内周間に形成されている空気導入口２０からの空気の侵入が抑制され、またバイパス流路１７を通り横孔１８ａから泡沫ユニット１９内に導入される流水により、流水量も増加した状態となり、泡沫ユニット１９の下端から整流が吐水される。
【００１０】
この図２の状態から、手で外筒１６を握り、外筒１６を下方側へ向かって押し下げると、外筒１６が下動し、図３に示すように、外筒１６のシール斜面１６ｃがオーリング１４に当接状となり、バイパス弁が閉状態となって、前記バイパス流路１７が閉ざされ、この時はバイパス流路１７には主流路１１から流水が流れ込むことはなく、主流路１１を流れる水流の水圧により前記泡沫ユニット１９は下方側へ押圧されることとなり、この水圧による押圧力は泡沫ホルダ１８を介し外筒１６に伝えられて、外筒１６を下方側へ強く押圧することとなり、従って、オーリング１４にシール斜面１６ｃが水圧で強く押し付けられて確実に前記バイパス流路１７が閉状態に維持されるものとなる。
【００１１】
この図３の状態では、前記空気導入口２０から十分な空気が泡沫ユニット１９内の混合室Ｓに流入可能な状態となり、主流路１１から泡沫ユニット１９内に流れ込む水流に空気導入口２０から流入される空気が混入されて泡沫水が生成され、泡沫水が吐出されることとなる。即ち、整流板１９ａは多孔板１９ｂよりも通水抵抗が大きく、それらの間に囲まれた混合室Ｓ内に水がある程度滞留され攪拌状態となり、その状態の混合室Ｓ内に空気導入口２０から空気が導入されると、空気と水が攪拌混合されて泡沫水が生成されるのである。
【００１２】
このように手で外筒１６を上下動させることにより、上動させた時には整流が吐出され、下動された時には泡沫水が吐出されることとなり、操作は極めて容易に行えるものとなる。
なお、本例では、アダプター６を用いて従来の水栓金具の吐水口５に対し雄ネジまたは雌ネジのどちらにも対応可能で、後発的にプッシュ式切替装置７を取り付け可能であり、従来の水栓に後発的に容易に取り付けて、整流と泡沫を良好に切り替えて使用することができるものとなる。
【００１３】
次に、図４は第２実施例を示すものであり、図４では、水栓金具の吐水口５にレバー式の切替装置７を取り付けたものであり、この図４のレバー式切替装置７は、図５の半断面図で示すような構造となっており、前記図２及び図３で示したプッシュ式の切替装置と同様に、外筒１６を上下動させて整流と泡沫を切替えできるものであり、図２及び図３と同一の作用をなす部材については同一の符号を付してその詳しい説明は省略し、異なる部分のみを説明すると、図５では、水栓金具１の吐水口５にアダプター６を用いず、直接ガイド筒体１０を締め付けて固定できるものであり、ガイド筒体１０の上端内周には締め付け用のネジが形成され、また、その下方側のガイド筒体１０の外周にはワッシャ２１が面一状に嵌め込まれており、このワッシャ２１に対し、レバー２３の先端のレバー支点２４が連結固定されたものとなっており、このレバー支点２４を中心としてレバー２３を上下動できるように構成され、レバー２３内には、ストッパー２５と、このストッパー２５を押圧するバネ２６が組み込まれており、ストッパー２５の先端は、外筒１６の上端外周に凹み状に形成された凹溝１６ｅ内に係合されており、図５の整流の状態、即ち外筒１６が上動された状態では、ストッパー２５がほぼ水平に凹溝１６ｅ内にバネ２６の付勢力により押圧されて、外筒１６が上動状態に保持されている。なお、外筒１６の上端側には前記レバー支点２４が上動できるような縦方向の長孔１６ｄが形成されている。
【００１４】
また、本例では、前記ガイド筒体１０の下端面に下方側へ解放されたピン孔１０ｂが形成されており、このピン孔１０ｂ内に、前記泡沫ホルダ１８から上方へ突出状に設けられた圧入ピン２２が係入された状態となっている。この圧入ピン２２がピン孔１０ｂに係入された図５の状態では、圧入ピン２２を介しガイド筒体１０と外筒１６が回り止め状態にされており、ガイド筒体１０を水栓金具の吐水口５に締め付ける際に外筒１６が空回りしないために、強く吐水口５にガイド筒体１０を締め付け固定させることができるものとなる。
【００１５】
図５の整流状態から、図６のようにレバー２３を下方側へ押圧して操作すると、レバー支点２４が長孔１６ｄ内を上昇し、レバー２３は下方側へ傾斜状態となって、ストッパー２５が傾斜状に凹溝１６ｅにバネ２６で押圧されて外筒１６が下動状態となり、この状態では外筒１６のシール斜面１６ｃがオーリング１４に当接して、バイパス流路１７が閉じられることとなり、この状態では主流路１１の水圧が泡沫ユニット１９を押し下げ、泡沫ホルダ１８を介し下方側への水圧が外筒１６に作用して、外筒１６は下方側へ押圧された状態となり、シール斜面１６ｃが強くオーリング１４に押圧されて外筒１６の下動状態が強固に維持されるものとなり、この図６の状態では、混合室Ｓ内に空気導入口２０から空気が導入され、空気と水が攪拌混合されて泡沫水が生成され、泡沫水が吐出されることとなる。
【００１６】
なお、図６の状態では、圧入ピン２２はピン孔１０ｂから離反されているため、外筒１６はガイド筒体１０に対し空回りすることができ、この状態で適宜外筒１６を水平面内で回動させて、前記レバー２３の位置を変更させ、使いやすい位置にレバー２３を配置させることが可能となる。
なお、この状態では外筒１６は空回りするため、ガイド筒体１０を吐水口５から取り外すことができなくなり、盗難防止効果をも発揮することができるものとなる。
【００１７】
次に、図７は第３実施例を示すものであり、この図７に示す水栓金具１の吐水口５に取り付けられるレバー式切替装置７は、前記図５及び図６に示す第２実施例のレバー２３と異なるレバー３０を用いたものであり、図８の半断面図で示すような構造となっており、作用的には外筒１６をレバー３０で上下動させて整流と泡沫を切替えできる点で、前記第１実施例及び第２実施例と同様であり、同一の作用を行う部材については同一符号を付してその詳しい説明を省略し、異なる部分のみを説明すると、本例のレバー３０は、図９のレバー部の平面断面図で示すようにリング状に形成されたものであり、ガイド筒体１０の上端側外周には予めワッシャ２１が外嵌固定されており、その下方にはストッパーリング１２が外嵌されて、このストッパーリング１２が外筒１６の内周の段部に係合可能であり、外筒１６が上下動する時に節度感をもって上下の何れかの位置に係止されるように、このストッパーリング１２が設けられている。
【００１８】
また、前記ワッシャ２１の一端側には外側へ突出して凸部２１ａが一体形成されており、この凸部２１ａに対し図９に示すように、レバー３０の他端側のレバー支点３１が連結されて、レバー３０が上下方向に回動可能となっており、また、レバー３０の内側には対向状に突出して係合ピン３２，３２が設けられ、この各係合ピン３２，３２は、前記外筒１６に形成された係合孔１６ｆ，１６ｆに係入された状態となって、この係合ピン３２，３２によりレバー３０と外筒１６が連結されている。
【００１９】
なお、本例では、泡沫ホルダ１８に上方へ向かって突出する、例えば三角形状の突起１８ｂが形成されており、また、この突起１８ｂに対向して、ガイド筒体１０の外周下端部に下方側へ突出する、例えば三角形状の突起１０ｄが形成されており、図８の整流時には、この突起１８ｂと１０ｄが同一水平面内に位置し、外筒１６を回転させると、この突起１８ｂと１０ｄが当接状態となって、外筒１６の回転力がガイド筒体１０に伝わり、外筒１６を握ってガイド筒体１０を水栓金具の吐水口５に強く締め付けることができるものとなる。
【００２０】
図８に示す状態は整流状態であり、レバー３０はほぼ水平方向に配置されて外筒１６が上動された状態となり、バイパス流路１７は開かれて、主流路１１から分岐孔１０ａを通りバイパス流路１７内に水流が流れ込み、横孔１８ａを通り水流が泡沫ユニット１９内に導入され、この横孔１８ａを通ることにより空気導入口２０からの空気の侵入が抑制されて、主流路１１とバイパス流路１７を通る流水が流水量を増加させて整流として吐出されるものである。
【００２１】
この状態からレバー３０を下方側へ押圧すると、係合ピン３２を介し連結された外筒１６が下方へ移動し、ストッパーリング１２により下動位置で係止されて、図１０に示すように、外筒１６のシール斜面１６ｃがオーリング１４に当接してバイパス流路１７が閉じられ、主流路１１の流水による水圧により外筒１６は下方側へ強く押圧されて、確実にバイパス流路１７が閉じられた状態に維持されるものであり、この図１０の状態では、混合室Ｓ内に空気導入口２０から空気が導入され、空気と水が攪拌混合されて泡沫水が生成され、泡沫水が吐出されるものである。
【００２２】
なお、図１０の泡沫状態では、突起１８ｂと１０ｄは上下に離反された位置となるため、この図１０の状態では外筒１６は空回りすることとなり、適宜外筒１６を水平面内で回転させて前記レバー３０の位置を使いやすい位置に変更させることができ、レバー３０の位置変えを良好に行うことができる。なお、この状態では外筒１６が空回りして、ガイド筒体１０を吐水口５から取り外すことができないため、盗難防止効果をも得ることができるものとなる。
【００２３】
【発明の効果】
本発明の水栓の吐水切替構造は、内側に主流路を形成するガイド筒体と、該ガイド筒体に上下動可能に外嵌され、ガイド筒体の下端側外周との間でバイパス流路を形成する外筒とを備え、前記主流路には前記バイパス流路の合流する上流側に多孔板を、下流側に整流板を配置するよう当該多孔板と当該整流板とを前記外筒に取り付け、多孔板と整流板との間に混合室を形成し、前記バイパス流路にバイパス弁と、該バイパス弁の下流側にバイパス流路からの水流を前記混合室に導入するための横孔と、該横孔と前記混合室との間に空気導入口を設けることにより、前記外筒が下動されて前記バイパス弁が閉じられた状態では前記主流路からの水流内に前記空気導入口から空気を混入させて泡沫水を生成させ、前記外筒が上動されて前記バイパス弁が開かれた時に、バイパス流路からの水流を前記横孔から前記混合室に導入することにより前記空気導入口を減少させて内部への空気の侵入を抑制させ、泡沫水の生成を抑えるように構成し、前記外筒が下動された時に、前記主流路からの水圧で前記多孔板が下方側へ押圧されることにより前記外筒が前記ガイド筒体外周の前記バイパス弁に強く押圧されて、前記バイパス流路が確実に閉ざされるように構成したことにより、ガイド筒体を水栓の吐水口に取り付けて、この状態でガイド筒体に対し外筒を上下動させて整流と泡沫を切り替えることができ、外筒を下動させた時には、空気導入口から十分な空気が侵入して、空気が攪拌混入されて泡沫水として吐出され、また、外筒が上動された時には、バイパス流路が開かれることにより、バイパス流路を流れる水流が横孔に入ることで空気導入口からの空気の侵入が抑制されて、良好に整流を吐水することができるものとなり、ワンタッチで整流と泡沫の切替えが行え、また、既存の水栓に取り付けが可能となる効果を有する。
また、外筒が下動されて泡沫水を吐出させる際には、主流路を流れる水流の水圧により外筒が下方側へ押圧されてバイパス流路を確実に閉ざし、空気導入口から十分に空気を内部に侵入させて泡沫を生成させることができるものとなる。
【図面の簡単な説明】
【図１】  第１実施例のプッシュ式切替装置を水栓金具の吐水口に取り付けた状態の全体構成図である。
【図２】  図１のプッシュ式切替装置の断面拡大構成図であり、外筒が上動された整流状態を示す。
【図３】  図２の状態から外筒が下動された泡沫時の状態を示す断面構成図である。
【図４】  第２実施例のレバー式切替装置を水栓に取り付けた状態の全体構成図である。
【図５】  図４のレバー式切替装置の半断面拡大図であり、外筒が上動された整流状態を示す。
【図６】  図５の状態から外筒が下動された泡沫状態の半断面構成図である。
【図７】  第３実施例のレバー式切替装置を取り付けた水栓の全体構成図である。
【図８】  図７のレバー式切替装置の半断面拡大図であり、外筒が上動された整流状態を示す。
【図９】  図８のレバー部の平面断面構成図である。
【図１０】  図８の状態から外筒が下動された泡沫状態の断面構成図である。
【符号の説明】
１  水栓金具
４  操作ハンドル
５  吐水口
６  アダプター
６ａ  工具掛け部
７  切替装置
１０  ガイド筒体
１０ａ  分岐孔
１０ｂ  ピン孔
１０ｄ  突起
１１  主流路
１２  ストッパーリング
１３  Ｕパッキン
１４，１５  オーリング
１６  外筒
１６ａ  係合段部
１６ｂ  節度突起
１６ｃ  シール斜面
１６ｄ  長孔
１６ｅ  凹溝
１６ｆ  係入孔
１７  バイパス流路
１８  泡沫ホルダ
１８ａ  横孔
１８ｂ  突起
１９  泡沫ユニット
１９ａ  整流板
１９ｂ  多孔板
２０  空気導入口
２１  ワッシャ
２１ａ  ワッシャ凸部
２２  圧入ピン
２３  レバー
２４  レバー支点
２５  ストッパー
２６  バネ
３０  レバー
３１  レバー支点
３２  係合ピン
Ｓ  混合室
【図１】
0003806892.tif 000002
【図２】
0003806892.tif 000003
【図３】
0003806892.tif 000004
【図４】
0003806892.tif 000005
【図５】
0003806892.tif 000006
【図６】
0003806892.tif 000007
【図７】
0003806892.tif 000008
【図８】
0003806892.tif 000009
【図９】
0003806892.tif 000010
【図１０】
0003806892.tif 000011